(57)【要約】【課題】できれば速度変化時にインキングに影響を及ぼすすべての要因を考慮する、印刷機のインキング制御方法を提供する。【解決手段】印刷機のインキング装置におけるインキ要求の補償調整および／または湿し装置における湿し水要求の補償調整により印刷機のインキングを制御する方法において、インキおよび／または湿し水の調量を補償調整する際に、印刷速度の変化の時点よりも前の印刷速度推移または印刷機状態を考慮する。【選択図】図２
2012176616.tif 000002
【特許請求の範囲】
【請求項１】
印刷機（１）のインキング装置（１６、１７）におけるインキ要求の補償調整および／または湿し装置（１８、１９）における湿し水要求の補償調整により印刷機（１）のインキングを制御する方法において、インキ調量および／または湿し水調量を補償調整する際に、印刷速度の変化の時点よりも前の印刷速度推移または印刷機状態を考慮することを特徴とする、印刷機（１）のインキングを制御する方法。
【請求項２】
前記インキ調量および／または前記湿し水調量の際に、前記印刷機状態または前記印刷速度の変化の時点よりも前の印刷速度推移に依存して異なる速度補償調整を行う、請求項１記載の方法。
【請求項３】
前記印刷機状態は、安定した本刷り段階、インキ到達、ゴムブランケットを洗浄した後の始動、ゴムブランケットを洗浄しないでの始動、または印刷ジョブの切替のいずれかである、請求項１または２記載の方法。
【請求項４】
前記インキング装置（１６、１７）内のインキ量が多すぎる場合、印刷速度が上昇したら、湿し水調量の速度補償調整を即座に行い、インキ調量の速度補償調整を遅延して行う、請求項１から３までのいずれか１項記載の方法。
【請求項５】
前記インキング装置内のインキ量が少なすぎる場合、印刷速度が上昇したら、インキ調量の速度補償調整を即座に行い、湿し水調量の速度補償調整を遅延して行う、請求項１から４までのいずれか１項記載の方法。
【請求項６】
前記遅延は速度差に比例して行われる、請求項４または５記載の方法。
【請求項７】
インキ到達時の印刷機速度が本刷り速度よりも高い場合、またはゴムブランケット胴（１３、２６）上のゴムブランケットを洗浄した後に前記印刷機（１）を始動させた場合には、インキ調量の速度補償調整と湿し水調量の速度補償調整を即座に行う、請求項１から６までのいずれか１項記載の方法。
【請求項８】
インキ到達時の印刷機速度が本刷り速度よりも低い場合、または印刷ジョブ切替の際に前の印刷ジョブにおける本刷り速度以上の本刷り速度に切り替わった場合には、インキ調量の速度補償調整を即座に行い、湿し水調量の速度補償調整を遅延して行う、請求項１から７までのいずれか１項記載の方法。
【請求項９】
前記ゴムブランケット胴（１３、２６）上のゴムブランケットを洗浄せずに前記印刷機（１）を始動させた場合、または前の印刷ジョブのときよりも低い本刷り速度を有する印刷ジョブに切り替わった場合には、湿し水調量の速度補償調整を即座に行い、インキ調量の速度補償調整を遅延して行う、請求項１から８までのいずれか１項記載の方法。
【発明の詳細な説明】
【技術分野】
【０００１】
本発明は、印刷速度が変化した際に印刷機のインキング装置におけるインキング要求の補償調整および／または湿し装置における湿し水要求の補償調整を行う、印刷機のインキングを制御する方法に関する。
【背景技術】
【０００２】
オフセット印刷機の場合、満足のいく印刷品質は、本刷り中にインキ調量と湿し水調量を印刷主題に合わせて正しく調整しなければ、得られない。印刷機の本刷り速度が変化したら直ちにインキ調量と湿し水調量を適合させなければならない。この移行期には刷り損じが生じるので、オフセット印刷機のインキ制御システムの開発では、速度変化が生じたときにこの移行期をできるだけ短く保つ努力が為されている。１つのアプローチとして、特許文献１から公知の、いわゆる速度補償調整がある。特許文献１に開示されているインキングの制御方法では、印刷基材上に塗布される液体の調量を印刷速度に依存して変化させる。さらに、印刷速度が変化した場合には、液体は印刷速度の変化と同時に時間的に過制御して送られる。いわゆる速度補償調整はこの過制御により行われるので、印刷機の移行期において、速度変更を実行するための時間が短縮される。その結果、速度変更の実行中および実行後の印刷品質が改善され、幾分か刷り損じが減少する。この速度補償調整では基本的に、速度変化前の本刷り速度と速度変化後の本刷り速度が考慮される。しかし、実際には、印刷速度が変化したときにインキ調量と湿し水調量とに影響を及ぼす更に別の影響変数が存在することが判明している。
【先行技術文献】
【特許文献】
【０００３】
【特許文献１】ＤＥ  １９７  ０１  ２１９  Ａ１
【発明の概要】
【発明が解決しようとする課題】
【０００４】
本発明の課題は、印刷速度が変化した場合に統一的なアプローチに従い、できれば速度変化時にインキングに影響を及ぼすすべての要因を考慮する、印刷機のインキング制御方法を提供することである。
【課題を解決するための手段】
【０００５】
上記課題は、本発明に従い、印刷機のインキング装置におけるインキ要求の補償調整および／または湿し装置における湿し水要求の補償調整により印刷機のインキングを制御する方法において、インキおよび／または湿し水の調量を補償調整する際に、印刷速度の変化の時点よりも前の印刷速度推移または印刷機状態を考慮することにより解決される。
【図面の簡単な説明】
【０００６】
【図１】本発明に従ってプログラミングされた制御コンピュータを備えた枚葉オフセット印刷機を示す。
【図２】インキおよび湿し水の適切な速度補償調整を選択する際の制御コンピュータの決定基準の概要を示す。
【図３】安定した本刷り段階において印刷速度が変化した場合の速度補償調整を示す。
【図４】インキ到達時の速度に対する現在の印刷ジョブの本刷り速度に依存した、インキ到達時の速度補償調整を示す。
【図５】ゴムブランケットを洗浄した後に印刷機を始動させた場合の速度補償調整を示す。
【図６】ゴムブランケットを洗浄せずに印刷機を始動させた場合の速度補償調整を示す。
【図７】前の印刷ジョブに対する現在の印刷ジョブの本刷り速度に依存した、印刷ジョブ切替時の速度補償調整を示す。
【図８】印刷速度差とゴムブランケット洗浄後のインキング過多に対する印刷速度補償調整との関係を示す。
【発明を実施するための形態】
【０００７】
本発明の方法は、印刷機におけるインキ調量および／または湿し水調量を制御する制御コンピュータの使用を前提としている。この制御コンピュータは、印刷速度が変化した場合に刷り損じをできるだけ少なく保つために、印刷速度の推移および／または動作中または停止中の印刷機の印刷機状態を捕捉し、捕捉された印刷速度推移または捕捉された印刷機状態に依存して、印刷速度変化時のインキまたは湿し水調量においてどのような補償調整を実行すべきか決定する。特に、印刷機の停止そして印刷機の印刷ユニットのゴムブランケットの洗浄なしでの再始動、印刷機の停止そして印刷機の印刷ユニット内のゴムブランケットを事前洗浄しての再始動、インキ到達後の印刷機の始動、および印刷ジョブ切替後の始動が、印刷機状態と見なされる。印刷速度推移とは、印刷速度の最も最近の変化の時点よりも前の印刷速度の全変化を意味する。印刷速度の変化の時点よりも前の印刷速度推移と印刷機状態とを捕捉し評価することにより、インキまたは湿し水の調量に関して最適な速度補償調整が可能となり、その結果、印刷速度が変化したときの刷り損じの発生が最小にまで減少する。本発明はすべてのオフセット印刷機において、とりわけ枚葉印刷機、輪転印刷機、およびアニロックスインキング装置を備えたオフセット印刷機においても使用することができる。
【０００８】
本発明の第１実施形態では、インキ調量または湿し水調量の際に、印刷機状態または速度変化の時点よりも前の速度推移に依存して異なる速度補償調整が実行される。本発明によれば、湿し水およびインキの調量に対する速度補償調整は必ずしも先行技術におけるように同時かつ並列して行われる必要はなく、むしろ印刷機状態または速度変化の時点よりも前の速度推移がどのようであるかに応じてインキおよび湿し水の速度補償調整を異ならせることができる。こうして複数の印刷機状態と速度推移とから、速度補償調整中にインキ調量または湿し水調量をさまざまに制御する多くの組合せ可能性が生じる。このように印刷機状態と速度変化と以前の速度推移とに依存して、インキ調量と湿し水調量の際に異なる速度補償調整が実行される。
【０００９】
本発明の別の実施形態では、インキング装置内にあまりに多くのインキがある場合、印刷速度が上昇するとインキ調量の速度補償調整は遅延して行われるが、湿し水調量の補償調整は即座に行われる。このようにして、速度変化中にインキ調量の速度補償調整によって再び多量のインキがインキング装置内に達する前に、まず過剰なインキが減らされる。しかし、湿し水調量はそれとは関係なく即座に実行される。
【００１０】
本発明の別の実施形態では、インキング装置内のインキが少なすぎる場合、印刷速度が上昇するとインキ調量の速度補償調整が直ちに実行されるが、それに対して湿し水調量の速度補償調整は遅れて実行される。この場合、まずインキ調量の即時の速度補償調整によりインキング装置内のインキ不足が解決され、その後にようやく湿し水調量が同様に開始される。このようにして、湿し水調量の即時の速度補償調整によって版面にインキよりも多くの湿し水が広がるのが防止される。
【００１１】
さらに、遅延は速度差に比例して行われる。これは、速度変化が大きければ大きいほど、そのときの方法ステップにおいて遅延して実行される要素の速度補償調整がより後で行われることになることを意味している。
【００１２】
また、インキ到達時の印刷機速度が本刷り速度よりも高い場合、またはゴムブランケット胴上のゴムブランケットを洗浄した後に印刷機を始動させた場合には、インキ調量の速度補償調整と湿し水調量の速度補償調整が即座に実行される。インキ到達およびゴム洗浄の印刷機状態では、印刷機はインキング装置が空で不安定な状態にあるので、刷り損じが生じる時間を最小化するために、速度補償調整の制御を介して直ちにインキと湿し水の調量を増やしてよい。
【００１３】
有利には、インキ到達時の印刷機速度が本刷り速度よりも低い場合、または印刷ジョブ切替の際に前の印刷ジョブのとき以上の本刷り速度に切り替わった場合、インキ調量の速度補償調整は即座に行われ、湿し水の速度補償調整は遅れて行われる。本発明のこの実施形態では、初めて前の印刷ジョブの本刷り速度が評価され、前の印刷ジョブに比べて本刷り速度が等しいかまたは高い場合には、インキ調量における速度補償調整が即座に実行され、湿し水調量における速度補償調整は遅れて実行される。
【００１４】
また、ゴムブランケット胴上のゴムブランケットを洗浄せずに印刷機を始動させた場合、または前の印刷ジョブのときよりも低い本刷り速度を有する印刷ジョブに切り替わった場合には、インキ調量の速度補償調整は遅れて実行され、湿し水調量の速度補償調整が即座に実行される。後の印刷ジョブにおける本刷り速度が前の印刷ジョブにおける本刷り速度よりも低い場合には、インキ調量の速度補償調整を実行する前にまず、インキング装置内である程度のインキ削減が実行されるべきである。これは湿し水調量の場合には当てはまらないので、湿し水調量は即座に実行される。
【００１５】
以下では、複数の図面を基に本発明をより詳しく説明する。
【実施例】
【００１６】
図１には、それぞれ１つのインキング装置１６、１７と１つの湿し装置１８、１９を有する２つの印刷ユニット３、４を使用する印刷機１が示されている。インキング装置１６、１７はインキ調量に用いられ、印刷機１の制御コンピュータ１５に接続されたサーボモータを使用する。インキング装置１６、１７において調量されたインキは湿し装置１８、１９によって湿らすことができる。湿し装置１８、１９における湿し水調量も制御コンピュータ１５によって制御可能である。調量され湿らされたインキはインキング装置３、４内でまず版面を有する版胴１１、１２上に移され、そこからゴムブランケット胴１３、２６上に移される。さらにそこから、ゴムブランケット胴１３、２６と圧胴１０、２８との間のニップにある印刷イメージが、印刷機１内にある枚葉紙９に移される。印刷基体９は２つの印刷ユニット３、４の間で搬送胴１４によって引き渡される。必要な新しい枚葉紙９は給紙装置２内で吸込み装置によって給紙スタック８から吸い上げられ、吸込み紙差板を介して第１印刷ユニット３に供給される。できあがった印刷基体９は第２印刷ユニットに続いて排紙装置６内のグリッパーチェーンに移され、排紙スタック７に積まれる。印刷機１の制御コンピュータ５は、所望の位置調整を行うことができるように、通信コネクション２２を介して印刷機１のすべてのサーボモータと接続されている。特に、制御コンピュータ５はインキ調量のためにインキング装置１６、１７内の個々のインキゾーンを位置調整することができる。制御コンピュータ５にはさらにスクリーン１５が接続されており、このスクリーン１５上に印刷機１の動作状態が表示され、このスクリーン１５を介してオペレータからの入力が可能である。さらに、制御コンピュータ５には通信コネクション２２を介して外部測色計２０が接続されており、この外部測色計２０により、排紙スタック７に積まれた完成した枚葉紙９の色を測定することができる。そのためには、枚葉紙９はオペレータによって排紙スタック７から取り出され、測色計２０の下に置かれなければならない。さらに印刷機１は、同様に枚葉紙９の色を測定することのできるインライン測色装置２１を第２印刷ユニット４の出口で使用する。このインライン測色装置２１はできあがった枚葉紙９の色を恒常的に測定することができるため、制御コンピュータ５は恒常的にインライン測色装置２１から色測定値の通知を受けることができる。このようにして測定された色測定値はオペレータによって設定された目標インキングＳと比較される。なお、目標インキングＳはそのときの印刷ジョブと、関連する版下とに依存する。目標インキングＳは印刷機１のインキング装置１６、１７における相応する事前設定されたインキ特性曲線の目標値として使用される。
【００１７】
図２には、印刷機状態と印刷速度の変化とを捕捉する制御コンピュータ５の決定基準が示されている。制御コンピュータ５はまず印刷速度が変化したか否かを確かめる。印刷速度が変化していない場合には、インキング調量と湿し水調量はまったく変更されない。しかし、制御コンピュータ５が印刷速度の変更を確認した場合には、印刷機状態が問い合わされる。決定的ではなく例として、図２では、５つの印刷機状態が問い合わされている。制御コンピュータ５はこれらの印刷機状態をセンサまたは印刷機１の実行中の印刷プログラムを介して問い合わせる。安定した本刷り段階において印刷速度の変化が生じた場合、速度補償調整１が行われる。印刷機１がちょうどインキ到達の状態にある場合には、印刷速度補償調整２が行われる。ゴムブランケット胴１３、２６上のゴムブランケットが洗浄された後に印刷機１が始動する場合には、速度補償調整３が行われる。ゴムブランケット胴１３、２６上のゴムブランケットを洗浄せずに印刷機１が始動した場合には、速度補償調整４が行われる。印刷ジョブの切替が生じた場合には、速度補償調整５が行われる。以下では、これら５つの速度補償調整を図３〜７において図解する。
【００１８】
図３には、安定した本刷り段階において印刷速度の変化が生じた場合に行われる速度補償調整１が示されている。安定した本刷り段階では、印刷ユニット３、４は定常的な安定状態にある。しかし、印刷速度が上昇した場合には、より多くのインキと湿し水を供給しなければならない。しかし、湿し水調量の引き上げの効果はインキ調量の引き上げよりも速く現れるため、印刷基体９上のインキ密度の低下を防ぐために、湿し水調量は遅れて実行される。ただし、印刷速度が低下した場合には、新しい安定状態を達成すべきか、または印刷機１を停止すべきかを決定しなければならない。印刷機１を停止する場合には、インキと湿し水の補償調整が即座に行われる。さもないと、印刷速度上昇の場合と同じように進行してしまう。
【００１９】
図４では、インキ到達時の速度補償調整が行われる。この印刷機状態では、印刷ユニット３、４はふつう定常的な安定状態にはない。インキ到達はたいてい本刷り速度とは異なる速度のときに起こる。それゆえにこの場合、インキ到達の速度と本刷りの速度とを考慮しなければならない。インキ到達速度V FEが本刷り速度V Fortdruckよりも低い場合には、できるだけ迅速に平衡に達するために、インキは即座に補償調整され、湿し水調量は遅れて補償調整されなければならない。しかし、インキ到達速度V FEが本刷り速度V Fortdruckよりも高いと、インキの過剰供給につながるので、インキと湿し水は直ちに補償調整される。
【００２０】
もう１つの印刷機状態は、図５に示されているゴムブランケット胴１３、２６上のゴムブランケットを洗浄した後の印刷機１の始動である。この場合、本刷り状態に相当するインキ量が印刷ユニット３、４内に存在している。しかし、印刷ユニット３、４の抵抗は印刷速度が高くなるとふつう上昇するので、このインキ量は始動速度に対しては多すぎる。しかし始めのうちは、ゴムブランケット胴１３、２６のゴムブランケット上に十分なインキ量が存在しない。したがって、最初の枚葉紙９はたいていインキング不足である。それゆえ、このインキング不足を防止するために、インキと湿し水が直ちに補償調整される。
【００２１】
図６には、ゴムブランケット胴１３、２６上のゴムブランケットを洗浄せずに印刷機１を始動させた場合の速度補償調整が示されている。この場合も、本刷り状態に相当するインキ量が印刷ユニット３、４内に存在している。しかし、ゴムブランケットが洗浄されないので、十分なインキがまだゴムブランケット上に残っている。印刷ユニット３、４の抵抗は速度が高くなるとふつう上昇するので、このインキ量は始動速度に対しては多すぎる。この場合、結果として、最初の枚葉紙９は明らかにインキング過多となる。このインキング過多を防止するために、湿し水は直ちに補償調整され、インキ調量は遅れて実行される。
【００２２】
図７には、印刷ジョブ切替後の速度補償調整が示されている。この場合も、状態はインキ到達後と同様である。印刷ユニット３、４はふつう定常的な安定状態にはない。この場合、最も重要な影響変数は前の印刷ジョブの印刷速度V VOである。この印刷速度V VOが後の印刷ジョブの印刷速度V Fortdruckよりも高ければ、イキング装置内のインキ量は多すぎ、印刷速度V VOが印刷速度V Fortdruckよりも低ければ、インキ量は少なすぎる。それゆえ前者のケースでは、多すぎるインキ量を減らすために、湿し水が直ちに補償調整され、インキは遅れて補償調整される。同様に後者のケースでは、インキング装置１６、１７内のインキをより多くするために、インキが直ちに補償調整され、湿し水調量は遅れて補償調整される。
【００２３】
図８には、ゴムブランケットを洗浄した後に印刷機を再始動した場合の印刷機１の始動特性が示されている。図８において、ｘ軸上には印刷速度差、すなわち最初の枚葉紙の速度と本刷り速度V Fortdruckとの差がとられており、ｙ軸上にはゴムブランケットを洗浄した後の再始動におけるインキング過多から生じるインキ密度差がとられている。印刷速度差が大きければ大きいほど、インキ密度差は大きい。
【符号の説明】
【００２４】
１  印刷機
２  給紙装置
３，４  印刷ユニット
５  制御コンピュータ
６  排紙装置
７  排紙スタック
８  給紙スタック
９  枚葉紙
１０、２８  圧胴
１１、１２  版胴
１３、２６  ゴムブランケット胴
１４  搬送胴
１５  スクリーン
１６、１７  インキング装置
１８、１９  湿し装置
２０  外部測色計
２１  インライン測色装置
２２  通信コネクション
【図１】
2012176616.tif 000003
【図２】
2012176616.tif 000004
【図３】
2012176616.tif 000005
【図４】
2012176616.tif 000006
【図５】
2012176616.tif 000007
【図６】
2012176616.tif 000008
【図７】
2012176616.tif 000009
【図８】
2012176616.tif 000010